(57)【要約】【課題】錘部材の位置が変更可能なゴルフクラブヘッドにおいて、錘部材の位置の変更によって、ゴルフクラブの操作性の変化はできるだけ小さくしながら、ゴルフクラブヘッドの他の特性を変更可能なゴルフクラブヘッドを提供すること。【解決手段】ヘッド本体と、前記ヘッド本体に取付けられる錘部材と、前記錘部材を、前記ヘッド本体の複数の取付位置のいずれかに固定する固定手段と、を備えたゴルフクラブヘッドにおいて、前記複数の取付位置が、前記ゴルフクラブヘッドに装着されるシャフトの軸線を中心とする仮想円筒面上に位置していることを特徴とする。【選択図】図２
2010148702.tif 000002
【特許請求の範囲】
【請求項１】
ヘッド本体と、
前記ヘッド本体に取付けられる錘部材と、
前記錘部材を、前記ヘッド本体の複数の取付位置のいずれかに固定する固定手段と、
を備えたゴルフクラブヘッドにおいて、
前記複数の取付位置が、前記ゴルフクラブヘッドに装着されるシャフトの軸線を中心とする仮想円筒面上に位置していることを特徴とするゴルフクラブヘッド。
【請求項２】
前記仮想円筒面の半径が、前記錘部材が取付けられていない状態での前記ヘッド本体の重心距離と同じであることを特徴とする請求項１に記載のゴルフクラブヘッド。
【請求項３】
前記固定手段が、
前記ヘッド本体のソール部に設けられ、前記複数の取付位置を規定する複数の第１ネジ部と、
前記錘部材に設けられ、前記第１ネジ部に螺着する第２ネジ部と、
を備えたことを特徴とする請求項１又は２に記載のゴルフクラブヘッド。
【請求項４】
前記仮想円筒面上の仮想線に沿って前記ヘッド本体のソール部に形成され、前記複数の取付け位置を規定するレール部を備え、
前記固定手段は、前記錘部材を前記レール部上の任意の位置に固定することを特徴とする請求項１又は２に記載のゴルフクラブヘッド。
【請求項５】
前記レール部が、
前記仮想線に沿って形成され、前記錘部材を収容する収容空間を形成する、下方が開放した溝と、
前記仮想線に沿って前記溝の上部に形成され、上方が閉鎖された区画室と、
前記溝と前記区角室との間に設けられ、前記溝内の空間と前記区画室内とを上下に仕切る仕切り部と、
前記仮想線に沿って前記仕切り部に形成され、前記溝内の空間と前記区画室内とを連通させるスリットと、を備え、
前記固定手段が、
前記仮想線に沿って移動可能なように前記区画室内に収容され、前記スリットを介して前記錘部材と接続されるスライド部材と、
前記スライド部材と前記錘部材とにそれぞれ設けられ、互いに螺着するネジ部と、
を備えたことを特徴とする請求項４に記載のゴルフクラブヘッド。
【請求項６】
前記錘部材を固定する前記取付位置の相違による前記ゴルフクラブヘッドの重心角の変化量が３度以上であることを特徴とする請求項１乃至５のいずれか１項に記載のゴルフクラブヘッド。
【請求項７】
重さの異なる複数の前記錘部材を備えたことを特徴とする請求項１乃至６のいずれか１項に記載のゴルフクラブヘッド。
【請求項８】
前記取付位置において、前記ヘッド本体と前記錘部材との間に介挿される制振部材を備えたことを特徴とする請求項１乃至７のいずれか１項に記載のゴルフクラブヘッド。
【請求項９】
前記制振部材が、前記錘部材に一体に設けられていることを特徴とする請求項８に記載のゴルフクラブヘッド。
【請求項１０】
前記錘部材は、前記ヘッド本体のソール部に固定され、
前記ソール部は、前記錘部材の取付位置に形成された凹部を有し、
前記凹部の深さは、
前記ヘッド本体に前記錘部材を固定した状態で、前記錘部材の最下部が、前記ソール部の最下部よりも上方に位置するように設定されていることを特徴とする請求項１乃至９のいずれか１項に記載のゴルフクラブヘッド。
【発明の詳細な説明】
【技術分野】
【０００１】
本発明は、ゴルフクラブヘッドに関するものである。
【背景技術】
【０００２】
ゴルファが、自身の好みによりゴルフクラブヘッドに取り付ける錘部材の位置を変更可能としたゴルフクラブヘッドが提案されている。特許文献１乃至３には、錘部材の位置を変更可能としたパターヘッドが開示されている。特許文献４乃至６には、錘部材の位置を変更可能としたウッド型のゴルフクラブヘッドが開示されている。
【０００３】
【特許文献１】特開２００１−１３７４００号公報
【特許文献２】特開２００６−１０２２３５号公報
【特許文献３】特開２００７−２２２２５７号公報
【特許文献４】実開平７−１５０６７号公報
【特許文献５】特開平１１−９７４２号公報
【特許文献６】実用新案登録第３１２７２３４号公報
【発明の開示】
【発明が解決しようとする課題】
【０００４】
錘部材の位置を変更すると、ゴルフクラブヘッドの重心位置が変化する。重心位置が変わるとゴルフクラブヘッドの特性が変わり、例えば、打球の弾道の高低や左右の方向性、操作性等が変化する。ゴルファは自身の好みに応じて、錘部材の位置を変更することができる。
【０００５】
しかし、錘部材の位置を変更すると、ゴルフクラブヘッドの複数の特性が同時に変化してしまう場合がある。ゴルファによっては、ゴルフクラブの操作性は現状のままで、ゴルフクラブヘッドの他の特性を変化させたい場合がある。
【０００６】
本発明の目的は、錘部材の位置が変更可能なゴルフクラブヘッドにおいて、錘部材の位置の変更によって、ゴルフクラブの操作性の変化はできるだけ小さくしながら、ゴルフクラブヘッドの他の特性を変更可能なゴルフクラブヘッドを提供することにある。
【課題を解決するための手段】
【０００７】
本発明によれば、ヘッド本体と、前記ヘッド本体に取付けられる錘部材と、前記錘部材を、前記ヘッド本体の複数の取付位置のいずれかに固定する固定手段と、を備えたゴルフクラブヘッドにおいて、前記複数の取付位置が、前記ゴルフクラブヘッドに装着されるシャフトの軸線を中心とする仮想円筒面上に位置していることを特徴とするゴルフクラブヘッドが提供される。
【発明の効果】
【０００８】
本発明によれば、錘部材の位置が変更可能なゴルフクラブヘッドにおいて、錘部材の位置の変更によって、ゴルフクラブの操作性の変化はできるだけ小さくしながら、ゴルフクラブヘッドの他の特性を変更可能なゴルフクラブヘッドを提供することができる。
【発明を実施するための最良の形態】
【０００９】
＜第１実施形態＞
図１は、本発明の一実施形態に係るゴルフクラブヘッドＡの斜視図であり、ソール部１３を透視して表した図である。
【００１０】
ゴルフクラブヘッドＡは、ヘッド本体１０と、錘部材２０と、を備える。ヘッド本体１０は、中空体をなしており、その周壁が、ゴルフボールの打撃面を形成するフェース部１１と、ゴルフクラブヘッドＡの上面をなすクラウン部１２と、ゴルフクラブヘッドＡの底面をなすソール部１３と、ゴルフクラブヘッドＡのトウ側、ヒール側及びバック側の側面をなすサイド部１４と、を構成している。また、ヘッド本体１０には、シャフトが取り付けられるホゼル部１５が設けられている。線Ｌ１はホゼル部１５に取り付けられるシャフトの軸線を示し、ホゼル部１５の中心軸線と実質的に同じである。
【００１１】
ゴルフクラブヘッドＡはドライバ用のゴルフクラブヘッドであるが、本発明はドライバ以外のフェアウエイウッド等も含むウッド型のゴルフクラブヘッド、ユーティリティ型（ハイブリッド型）のゴルフクラブヘッド、その他の中空のゴルフクラブヘッドに適用可能である。また、ヘッド本体１０は、本実施形態の場合、中空体であるが、中実のものであってもよい。
【００１２】
ヘッド本体１０は、複数のパーツを接合して組み立てることができる。例えば、フェース部１１と、その他の部分と、をそれぞれ別部材で作成し、これらを接合してヘッド本体１０を作成することができる。また、フェース部１１と、ソール部１３と、その他の部分と、をそれぞれ別部材で作成し、これらを接合してヘッド本体１０を作成することができる。ヘッド本体１０は、例えば金属材料から作成することができ、そのような金属材料としては、チタン系金属材料やステンレス鋼が挙げられる。ヘッド本体１０は、異なる素材から作成することもでき、例えば、金属材料と、炭素繊維材料と、から作成することもできる。炭素繊維材料としては、炭素繊維強化樹脂（ＣＦＲＰ）が挙げられる。
【００１３】
ソール部１３には、錘部材２０の取付位置を規定する複数の取付部１３１ａ乃至１３１ｄが形成されている。本実施形態の場合、４つの取付部１３１ａ乃至１３１ｄを設けているが、その数は４つに限られない。ゴルフクラブヘッドＡのユーザは、いずれかの取付部１３１ａ乃至１３１ｄに錘部材２０を取り付けることができる。図３（Ａ）及び（Ｂ）は図１の線Ｘ−Ｘに沿う取付部１３１ａの断面図を示し、図３（Ａ）は錘部材２０を取り外した状態、図３（Ｂ）は錘部材２０を取り付けた状態を示す。ここでは取付部１３１ａの構成について説明するが、取付部１３１ｂ乃至ｄも同様の構成である。
【００１４】
取付部１３１ａは、雌ネジ孔ＳＣ１を有する筒状をなしている。錘部材２０は、軸状の雄ネジ部ＳＣ２を有しており、雌ネジ孔ＳＣ１と雄ネジ部ＳＣ２とを互いに螺着することで、錘部材２０をヘッド本体１０に固定することができる。
【００１５】
ワッシャ３０は、錘部材２０とソール部１３との間に介挿される制振部材であり、本実施形態の場合、樹脂部材である。ワッシャ３０は、雌ネジ孔ＳＣ１と雄ネジ部ＳＣ２との螺合の緩み止めとなり、一旦固定した錘部材２０が容易に脱落しないようにしている。また、ワッシャ３０はインパクト時に発生するゴルフクラブヘッドＡの振動を減衰する効果もある。このような制振部材としては、樹脂材料が好適であるが、他の種類の材料も採用可能である。なお、ワッシャ３０は、錘部材２０に一体的に設けてもよい。例えば、錘部材２０に予め固着しておいてもよい。また、錘部材２０の表面を樹脂材料等で被覆してもよい。
【００１６】
取付部１３１ａ乃至１３１ｄのうち、錘部材２０を取り付けない取付部については、図３（Ａ）に示すキャップ４０を取り付けて雌ネジ孔ＳＣ１を閉鎖することができる。これにより、雌ネジ孔ＳＣ１を通してヘッド本体１０内にごみ等が侵入することを防止できる。キャップ４０は、例えば、樹脂材料からなり、雌ネジ孔ＳＣ１に対して取り外し可能に嵌入される。雌ネジ孔ＳＣ１を通してヘッド本体１０内にごみ等が侵入することを防止するため、キャップ４０に代えて、雌ネジ孔ＳＣ１の上端が閉鎖された構成としてもよい。
【００１７】
また、キャップ４０は、錘部材２０と同様の形状に形成する一方、材料の選択によって、重心位置の変化に実質的に影響を与えない程度の重さのものとし、雌ネジ孔ＳＣ１と螺合するものとしてもよい。
【００１８】
錘部材２０は、例えば、金属材料から作成することができる。そのような金属材料としては、例えば、タングステン、タングステン合金、アルミ、アルミ合金、マグネシウム、マグネシウム合金を挙げられる。また、錘部材２０は、例えば、粘弾性材料に金属粉を混入したものでもよく、この場合、インパクト時のゴルフクラブヘッドＡの制振効果を向上することができる。そのような粘弾性材料としては、例えば、ＮＢＲ（アクリロニトリルブタジエンゴム）が挙げられる。
【００１９】
次に、取付部１３１ａ乃至１３１ｄの位置について図１及び図２を参照して説明する。図２はゴルフクラブヘッドＡをホゼル部１５側から線Ｌ１方向に見た図であり、取付部１３１ａ乃至１３１ｄを透視して表した図である。
【００２０】
図１及び図２において、面Ｓは線Ｌ１を中心とする仮想円筒面であり、線Ｌ２は面Ｓとソール部１３との交線の一部を示す仮想線である。各取付部１３１ａ乃至１３１ｄは、面Ｓ上に位置しており、特に、仮想線Ｌ２上に位置している。
【００２１】
図２において、重心位置ＣＧは、錘部材２０が取り付けられていない状態でのヘッド本体１０の重心位置であり、距離ｒは錘部材２０が取り付けられていない状態での重心距離である。なお、重心距離とは重心位置からシャフト軸線への垂線の長さである。本実施形態の場合、面Ｓの半径は、距離ｒとしている。
【００２２】
次に、取付部１３１ａ乃至１３１ｄを面Ｓ上に配置したことによる効果について説明する。いずれかの取付部１３１ａ乃至１３１ｄに錘部材２０を固定すると、それにより、ゴルフクラブヘッドＡの重心角が変化する。ここで、重心角は、ゴルフクラブを、シャフト回りに回転自在な状態で、シャフトを水平に支持した場合に、鉛直方向とフェース部とがなす角度である。図６は重心角の説明図である。同図において、シャフト軸線Ｌ１を通り、鉛直方向の破線と、フェース部１１とがなす角度θが重心角である。同図に示すように、ウッド型クラブの場合、フェース部１１は通常平面ではないため、フェース部１１の方向は、フェースセンタのリーディングエッジの接線方向を基準とする。
【００２３】
例えば、取付部１３１ａに錘部材２０を取り付けると、ゴルフクラブヘッドＡの重心角は、相対的に大きくなる。重心角が大きくなると、相対的に、ゴルフボールのつかまりがよくなり、打球はフックし易くなる。また、取付部１３１ｄに錘部材２０を取り付けると、ゴルフクラブヘッドＡの重心角は、相対的に小さくなる。重心角が小さくなると、相対的に、ゴルフボールのつかまりが抑えられ、打球はスライスし易くなる。
【００２４】
このように本実施形態では、錘部材２０を固定する取付部１３１ａ乃至１３１ｄを選択することにより、ゴルフクラブヘッドＡの特性を変化させることができる。
【００２５】
ここで、ゴルフクラブの操作性は、シャフト軸線回りのゴルフクラブヘッドの慣性モーメントに左右される。つまり、シャフト軸線回りのゴルフクラブヘッドの慣性モーメントが大きければゴルフクラブヘッドを返しずらくなり、小さければゴルフクラブヘッドを返し易くなる。
【００２６】
本実施形態の場合、取付部１３１ａ乃至１３１ｄは面Ｓ上に位置しているため、図２から理解されるように、どの取付部１３１ａ乃至１３１ｄに錘部材２０を取り付けても、線Ｌ１との距離（線Ｌ１への垂線の長さ）は変わらない。よって、錘部材２０の取り付けによる、線Ｌ１回りのゴルフクラブヘッドＡの慣性モーメントの増量は、錘部材２０の重さが同じであれば、どの取付部１３１ａ乃至１３１ｄに錘部材２０を取り付けても同じであり、ゴルフクラブの操作性には変化がない。
【００２７】
このため、錘部材２０の取り付け位置によって重心角は変わるものの、ゴルフクラブの操作性はほとんど変化せず、ゴルファは打ち方をほとんど変えずにフック、スライスを打ち分けることができる。
【００２８】
このように本実施形態では、錘部材２０の取り付け位置によって、ゴルフクラブヘッドＡを有するゴルフクラブの操作性の変化はできるだけ小さくしながら、ゴルフクラブヘッドＡの他の特性を変更することができる。
【００２９】
なお、上級者は、ゴルフクラブに対する感覚が鋭敏であるため、錘部材２０の取付位置が、ヘッド本体１０の重心位置ＣＧから離れれば離れる程、ゴルフクラブの操作性に関して、錘部材２０の存在が気になり、ゴルフクラブの振り感に違和感を感じる場合がある。違和感を低減するためには、本実施形態のように、仮想円筒面Ｓの半径はヘッド本体１０の重心位置ＣＧの重心距離である距離ｒ以下（例えば、距離ｒ≧仮想円筒面Ｓの半径≧距離ｒ−５ｍｍ）であることが望ましく、本実施形態のように、仮想円筒面Ｓの半径を距離ｒと同じにすることが最適である。
【００３０】
なお、本実施形態では、錘部材２０を１つとしたが、重さの異なる複数の錘部材２０のいずれかを選択的にヘッド本体１０に固定するようにしてもよい。これにより、ゴルフクラブヘッドＡの重心位置及び重心深さの選択範囲を増やすことができると共に、選択肢も増やすことができる。この場合、２以上の錘部材２０を同時にヘッド本体１０に固定してもよい。
【００３１】
また、錘部材２０を固定する取付部１３１ａ乃至１３１ｄの相違によるゴルフクラブヘッドＡの重心角の変化量、例えば、取付部１３１ａに錘部材２０を取り付けた場合と、取付部１３１ｄに錘部材２０を取り付けた場合と、の重心角の差が３度以上であることが好ましい。重心角の差が３度以上であれば、重心位置の変化によるゴルフクラブヘッドの特性の変化を、ゴルファがより明確に感じることができる。
【００３２】
＜第２実施形態＞
図４（Ａ）は、取付部１３１ａの他の構成例を示す断面図であり、図１の線Ｘ−Ｘに沿う、取付部１３１ａの断面図に相当する。以下、上記第１実施形態のゴルフクラブヘッドＡと同じ構成については同じ符号を付して説明を割愛し、異なる構成についてのみ説明する。また、ここでは取付部１３１ａについて説明するが、取付部１３１ｂ乃至ｄも同様の構成である。
【００３３】
本実施形態の場合、取付部１３１ａに、錘部材２０を収容する凹部１３２が設けられている。凹部１３２の深さは、ヘッド本体１０に錘部材２０を固定した状態で、錘部材２０の最下部が、ソール部１３の最下部よりも上方に位置するように設定されている。
【００３４】
このため、図４（Ａ）に示すように、錘部材２０がソール部１３から突出せず、打撃時に錘部材２０が地面に引っかかることを防止できる。
【００３５】
＜第３実施形態＞
図４（Ｂ）は、取付部１３１ａ及び錘部材２０の他の構成例を示す断面図であり、図１の線Ｘ−Ｘに沿う、取付部１３１ａの断面図に相当する。以下、上記第１実施形態のゴルフクラブヘッドＡと同じ構成については同じ符号を付して説明を割愛し、異なる構成についてのみ説明する。また、ここでは取付部１３１ａについて説明するが、取付部１３１ｂ乃至ｄも同様の構成である。
【００３６】
本実施形態は、取付部１３１ａに、軸状の雄ネジ部ＳＣ３を設け、錘部材２０に、雄ネジ部ＳＣ３と螺着する雌ネジ孔ＳＣ４を設けたものである。取付部１３１ａは、錘部材２０が収容される内部空間を有し、上記第２実施形態と同様に、錘部材２０がソール部１３から突出しないようにしている。
【００３７】
このように、ソール部１３側のネジ部と、錘部材２０側のネジ部とは、どちらが雄ネジ、雌ネジであってもよい。
【００３８】
＜第４実施形態＞
上記第１乃至第３実施形態では、互いに離間した複数の位置に錘部材２０を固定可能としたが、面Ｓに含まれる仮想線上の任意の位置に錘部材２０を固定可能な構成としてもよい。これにより、ゴルフクラブヘッドの重心位置、重心深さをより細かく調整できる。
【００３９】
図５（Ａ）は、ソール部１３に形成したレール部５０の斜視図、図５（Ｂ）はレール部５０の断面図、図５（Ｃ）は錘部材２０の断面図である。以下、上記第１実施形態のゴルフクラブヘッドＡと同じ構成については同じ符号を付して説明を割愛し、異なる構成についてのみ説明する。
【００４０】
ソール部１３には、面Ｓに含まれる仮想線Ｌ２（図１参照）に沿うレール部５０が形成されている。レール部５０は、以下に説明する通り、錘部材２０の移動を案内する。レール部５０は、ソール部１３を凹ませて形成した、下方が開放した溝５１と、溝５１の上部に形成された区画室５２と、を備える。溝５１及び区画室５２はいずれも、上述した仮想線Ｌ２に沿って形成されている。なお、図５（Ａ）には図示していないが、レール部５０の各端部は適宜閉鎖する。
【００４１】
溝５１は、一対の側壁１３ａと、各側壁１３ａを曲折して形成した一対の仕切り部１３ｂと、を有する。仕切り部１３ｂは、溝５１と区角室５２との間に位置しており、これらを上下に仕切る。一対の仕切り部１３ｂ間は離隔してスリット５３が形成されている。溝５１内には、錘部材２０が収容される。溝５１の深さは、ヘッド本体１０に錘部材２０を固定した状態で、錘部材２０の最下部が、ソール部１３の最下部よりも上方に位置するように設定され、これにより、錘部材２０がソール部１３から突出せず、打撃時に錘部材２０が地面に引っかかることを防止できる。
【００４２】
区画室５２は、断面がコの字型の蓋部材５４の下端を仕切り部１３ｂに接合することで形成されている。蓋部材５４により区画室５２の上方は閉鎖されている。
【００４３】
区画室５２内には、スライド部材５５が収容される。スライド部材５５は、区画室５２内で回転不能な大きさを有し、例えば、平面視で方形をなしている。スライド部材５５には、スリット５３を通過する軸状の雄ネジ部ＳＣ５が一体的に接続されている。錘部材２０には、雄ネジ部ＳＣ５と螺着する雌ネジ孔ＳＣ６が形成されている。錘部材２０の幅はスリット５３の短手方向の幅よりも大きい。
【００４４】
係る構成からなる本実施形態では、雄ネジ部ＳＣ５と雌ネジ孔ＳＣ６とを螺着することで、スライド部材５５と錘部材２０とが仕切り部１３ｂを挟み、これにより錘部材２０がヘッド本体１０に固定される。仕切り部１３ｂと錘部材２０との間にワッシャ３０を介挿することで、雄ネジ部ＳＣ５と雌ネジ孔ＳＣ６との螺合の緩み止めとなる。
【００４５】
錘部材２０の位置を変更する場合は、雄ネジ部ＳＣ５と雌ネジ孔ＳＣ６との螺合を緩ませ、スライド部材５５と錘部材２０とを移動する。移動の際、これらはレール部５０に案内されるので、位置変更が容易である。そして、所望の位置で雄ネジ部ＳＣ５と雌ネジ孔ＳＣ６とを螺着することで、錘部材２０を固定することができる。
【００４６】
このように本実施形態では、仮想線Ｌ２上の任意の位置に錘部材２０を固定可能であり、ゴルフクラブヘッドの重心位置、重心深さをより細かく調整できる。なお、本実施形態の場合、ヘッド本体１０の重心位置ＣＧは、錘部材２０及びスライド部材５５を取り外した状態でのヘッド本体１０の重心位置とする。また、本実施形態では、スライド部材５５から錘部材２０を完全に取り外すことができるので、重さの異なる複数の錘部材２０のいずれかを選択的にヘッド本体１０に固定するようにしてもよい。
【００４７】
また、本実施形態では、レール部５０が、閉鎖部材１４１及び壁部１６、蓋部材５４により囲まれるので、レール部５０を介してごみ等がヘッド本体１０内に侵入することを防止することができる。
【００４８】
なお、レール部５０の構造としては、図５（Ａ）及び（Ｂ）に示した構造に限られず、錘部材２０を移動可能であり、任意の位置に固定可能なものであれば、どのような構造でもよい。
【図面の簡単な説明】
【００４９】
【図１】本発明の一実施形態に係るゴルフクラブヘッドＡの斜視図である。
【図２】ゴルフクラブヘッドＡをホゼル部１５側から線Ｌ１方向に見た図である。
【図３】（Ａ）及び（Ｂ）は図１の線Ｘ−Ｘに沿う取付部１３１ａの断面図を示し、（Ａ）は錘部材２０を取り外した状態、（Ｂ）は錘部材２０を取り付けた状態を示す。
【図４】（Ａ）は、本発明の第２実施形態に係る取付部１３１ａの構成を示す断面図、（Ｂ）は本発明の第３実施形態に係る取付部１３１ａ及び錘部材２０の構成を示す断面図である。
【図５】（Ａ）は、ソール部１３に形成したレール部５０の斜視図、（Ｂ）はレール部５０の断面図、（Ｃ）は錘部材２０の断面図である。
【図６】重心角の説明図である。
【符号の説明】
【００５０】
Ａ  ゴルフクラブヘッド
１０  ヘッド本体
２０  錘部材
【図１】
2010148702.tif 000003
【図２】
2010148702.tif 000004
【図３】
2010148702.tif 000005
【図４】
2010148702.tif 000006
【図５】
2010148702.tif 000007
【図６】
2010148702.tif 000008